(57)【特許請求の範囲】
【請求項１】
ベンチフレーム11、レッグフレーム12、及びハンマーフレーム13からなる本体10と、
前記ベンチフレーム11に設けられるベンチ20と、
前記レッグフレーム12に設けられるレッグエキステンションウェイトトレーニング部30及びアームカールウェイトトレーニング部40と、
前記ハンマーフレーム13に設けられるハンマーベンチウェイトトレーニング部50と、
一端が前記ベンチフレーム11の下部のうち長手方向の前方部に軸ピンP1にて回動可能に接続される負荷調整棒100と、
前記負荷調整棒100に移動可能に接続される負荷調整バンド200と、
一端が前記負荷調整バンド200に軸ピンP2にて回動可能に、他端が前記ベンチフレーム11の下部のうち長手方向の後方部に軸ピンP3にて回動可能に、それぞれ接続される油圧シリンダー300と、
一端が前記レッグエキステンションウェイトトレーニング部30に軸ピンP5にて回動可能に、他端が前記負荷調整棒100の他端に軸ピンP4にて回動可能に、それぞれ接続され、前記レッグエキステンションウェイトトレーニング部30を利用したウェイトトレーニング時に前記長手方向の前方へ引っ張られるレッグバー400と、
一端が前記ベンチフレーム11に、他端が前記レッグエキステンションウェイトトレーニング部30の下部に、それぞれ固定される弾性部材500と、
前記ハンマーベンチウェイトトレーニング部50の一構成要素であって、一端が前記ハンマーフレーム13の前記長手方向の前面の上部に軸ピンP8にて回動可能に接続される負荷調整棒51と、
前記負荷調整棒51に移動可能に接続される負荷調整バンド600と、
一端が前記ハンマーフレーム13の前記長手方向の前面の中央部に軸ピンP6にて回動可能に、他端が前記負荷調整バンド600に軸ピンP7にて回動可能に、それぞれ接続される油圧シリンダー700と、を含むことを特徴とする運動器具。
【請求項２】
前記ベンチフレーム11及びハンマーフレーム13には、それぞれ、負荷調整棒100,51と油圧シリンダー300,700への接続部110,51a,310,710を軸ピンP1,P2,P8,P6にて回転可能に支持する一対のブラケット11a,11b,13a,13bが形成され、
前記接続部110,51a,310,710のピン孔には、ベアリングBがそれぞれ取り付けられていることを特徴とする請求項1に記載の運動器具。
【請求項３】
前記負荷調整バンド200,600の一方側には、油圧シリンダー300,700の接続部320,720を軸ピンP3,P7にて回動可能に支持する一対の接続片210,610が形成され、
前記負荷調整バンド200,600の中央部には、負荷調整棒100,51に移動可能に嵌まる挿入孔220,620が形成され、
前記負荷調整バンド200,600の他方側には、該挿入孔220,620に続く切り込み部231,631が設けられた一対の固定片230,630が形成され、該固定片230,630には、固定ノブ240,640がネジ結合され、
前記負荷調整棒100,51の外面は、摩擦力を増大させるため、ナーリングにて加工され、
前記接続部320,720のピン孔には、ベアリングBが取り付けられていることを特徴とする請求項1に記載の運動器具。
【請求項４】
前記負荷調整バンド200,600の一方側には、油圧シリンダー300,700の接続部320,720を軸ピンP3,P7にて回動可能に支持する一対の接続片210,610が形成され、
前記負荷調整バンド200,600の中央部には、負荷調整棒100,51に移動可能に嵌まる挿入孔220,620が形成され、
前記負荷調整棒100,51には、適宜に間隔を置いて複数のピン孔101,51bが形成され、
前記負荷調整バンド200,600には、該ピン孔101,51bに嵌まる固定ピン250,620が設けられ、
前記接続部320,720のピン孔には、ベアリングBが取り付けられていることを特徴とする請求項1に記載の運動器具。
【請求項５】
前記レッグバー400の前記長手方向の後端には、負荷調整棒100の他端の接続部120を軸ピンP4にて回動可能に支持する一対の支持片410が形成され、
前記レッグエキステンションウェイトトレーニング部30には、レッグバー400の前記長手方向の前端の接続部420を軸P5にて回動可能に支持する一対のブラケット31が形成され、
前記接続部120,420のピン孔には、ベアリングBがそれぞれ取り付けられていることを特徴とする請求項1に記載の運動器具。
【請求項６】
前記弾性部材500はゴムひも若しくはバネからなることを特徴とする請求項1に記載の運動器具。
【請求項７】
前記ベンチ20には、雌・雄バックル21a,21bを備えた脚固定バンド21が設けられていることを特徴とする請求項1に記載の運動器具。
【請求項８】
前記ハンマーフレーム13には、それぞれ回転リングR1,R2を軸ピンP9,P10にて回転可能に支持するブラケット13c,13dが形成され、
前記回転リングR1,R2には、それぞれ、負荷調整棒51または油圧シリンダー700への接続部51a,710を軸ピンP8,P6にて回転可能に支持する回転ブラケットK1,K2が接続されることを特徴とする請求項1に記載の運動器具。
【発明の詳細な説明】
【技術分野】
【０００１】
本発明は、身体の種々の部位を強化、鍛錬するための運動器具に関するものであって、より詳細には、トレーニングの加減に応じて、重りを替えずに、油圧シリンダーでのてこの原理を利用して重量負荷を容易に、かつ、幅広く調整することが可能な運動器具に関するものである。
【背景技術】
【０００２】
一般的に、筋力や持久力を向上させるためには、規則的に運動することがとても重要である。しかし、現代人にとって、忙しい生活のため運動をやり続けることが容易ではなく、運動量が乏しいことが問題となっている。
【０００３】
近年、急激に流行しているヘルシーブームと共に、食生活の欧米化により成人病が発病する年齢が低くなりつつあることから、レジャー活動だけでなく、様々な屋内外の運動に関する関心が高まっている。
【０００４】
このような社会全般の現象に応じて、大都市だけでなく中小都市においても、様々な体育施設が急増しており、特に、天気や季節の影響を受けずに運動することができるフィットネスセンターが脚光を浴びている。
【０００５】
これは、フィットネスセンターは、様々な有酸素運動だけでなく、身体の種々の部位に対して筋肉トレーニングをすることができる複合フィットネスの場として利用されるからであり、特に、筋肉トレーニングをする場合にフィットネスセンターが人気を多く集めているのは、各人の身体状況やトレーニング量に応じて筋肉トレーニングの負荷を適宜変更(負荷を増減)することができるからである。
【０００６】
なお、血行や心肺機能を活性化し、かつ、骨密度を高めるためには、ウェイトトレーニングに匹敵するものがない。そこで、身体の種々の部位を鍛錬するために全身において筋肉を均一に鍛え、更に、家族が共に運動できるように、１つの運動器具にて種々のトレーニングをすることが可能な運動器具が求められている。
【０００７】
このため、特許文献である韓国登録実用新案の第20-0250469号には、１つの器具にて種々のトレーニングをすることが可能なウェイトトレーニング器具が開示されている。
【０００８】
しかし、従来の運動器具は、重りを集めたうえ、これらの重量が該運動器具に伝わるようになっているため、構造的に該運動器具のボリュームや重量が大き過ぎると共に、ウェイトを調整する際に怪我の恐れに晒されるという問題点を有する。
【０００９】
また、従来の運動器具は、構造的に多数の重りを有するため、該運動器具の重量が凡そ150~250kgに至り、移動や運搬が容易でないという問題点を有する。
【００１０】
また、従来の運動器具は、利用者の好む重量に調整することが難しく、トレーニング効果が充分でないという問題点を有する。
【発明の概要】
【発明が解決しようとする課題】
【００１１】
本発明の目的は、上記従来技術の問題点を解決するために、トレーニングの加減に応じて、重りを替えずに、油圧シリンダーでのてこの原理を利用して重量負荷を容易に、かつ、幅広く調整することが可能な運動器具を提供することである。
【００１２】
本発明の他の目的は、重りによる事故の危険を完全に除去することが可能な運動器具を提供することである。
【００１３】
本発明の他の目的は、全体的にボリュームや重量が減ることにより、容易に移動や運搬することが可能な運動器具を提供することである。
【００１４】
本発明の他の目的は、利用者の好む重量へ容易に調整したうえでトレーニングすることが可能な運動器具を提供することである。
【００１５】
本発明の他の目的は、使用時の利便性やトレーニングの効率性を高めることが可能な運動器具を提供することである。
【課題を解決するための手段】
【００１６】
上記目的を達成するために、本発明は、ベンチフレーム、レッグフレーム、及びハンマーフレームより本体が形成され、上記ベンチフレームの上部にベンチが設けられ、上記レッグフレームにレッグエキステンションウェイトトレーニング部とアームカールウェイトトレーニング部がそれぞれ設けられ、上記ハンマーフレームにハンマーベンチウェイトトレーニング部が設けられ、上記ベンチフレームの下部のうち長手方向の前方部に負荷調整棒の一端が軸ピンにて回動可能に接続され、上記負荷調整棒に負荷調整バンドが移動可能に接続される。また、本発明における油圧シリンダーは、一端が上記負荷調整バンドに軸ピンにて回動可動に、他端が上記ベンチフレームの下部のうち長手方向の後方部に軸ピンにて回動可能に、それぞれ接続される。また、本発明におけるレッグバーは、一端が上記レッグエキステンションウェイトトレーニング部に軸ピンにて回動可能に、他端が上記負荷調整棒の他端に軸ピンにて回動可能に、それぞれ接続され、上記レッグエキステンションウェイトトレーニング部を利用したウェイトトレーニング時に上記長手方向の前方へ引っ張られる。また、本発明における弾性部材は、一端が上記ベンチフレームに、他端が上記レッグエキステンションウェイトトレーニング部の下部に、それぞれ固定される。また、本発明におけるもうひとつの負荷調整棒は、ハンマーベンチウェイトトレーニング部の一構成要素であって、一端が上記ハンマーフレームの上記長手方向の前面の上部に軸ピンにて回動可能に接続される。また、本発明におけるもうひとつの負荷調整バンドが該負荷調整棒に移動可能に接続され、もうひとつの油圧シリンダーは、一端が上記ハンマーフレームの上記長手方向の前面の中央部に軸ピンにて回動可能に、他端が該負荷調整バンドに軸ピンにて回動可能に、それぞれ接続されている。
【００１７】
また、本発明において、上記ベンチフレーム及びハンマーフレームには、それぞれ負荷調整棒と油圧シリンダーへの接続部を軸ピンにて回転可能に支持する一対のブラケットが形成され、上記接続部のピン孔にはベアリングがそれぞれ取り付けられている。
【００１８】
また、本発明において、上記負荷調整バンドの一方側には、油圧シリンダーの接続部を軸ピンにて回動可能に支持する一対の接続片がそれぞれ形成され、上記負荷調整バンドの中央部には、負荷調整棒に移動可能に嵌まる挿入孔がそれぞれ形成され、上記負荷調整バンドの他方側には、該挿入孔と通る切り込み部が設けられた一対の固定片がそれぞれ形成され、該固定片には、固定ノブがそれぞれネジ結合され、上記負荷調整棒の外面はそれぞれ、摩擦力を増大させるため、ナーリング(knurling)にて加工され、上記接続部のピン孔には、ベアリングがそれぞれ取り付けられている。
【００１９】
また、本発明において、上記負荷調整バンドの一方側には、油圧シリンダーの接続部を軸ピンにて回動可能に支持する一対の接続片がそれぞれ形成され、上記負荷調整バンドの中央部には、負荷調整棒に移動可能に嵌まる挿入孔がそれぞれ形成され、上記負荷調整棒には、適宜に間隔を置いて複数のピン孔がそれぞれ形成され、上記負荷調整バンドには、該ピン孔に嵌まる固定ピンがそれぞれ設けられ、上記接続部のピン孔には、ベアリングがそれぞれ取り付けられている。
【００２０】
また、本発明において、上記レッグバーの上記長手方向の後端には、負荷調整棒の他端の接続部を軸ピンにて回動可能に支持する一対の支持片が形成され、上記レッグエキステンションウェイトトレーニング部には、レッグバーの上記長手方向の前端の接続部を軸にて回動可能に支持する一対のブラケットが形成され、上記接続部のピン孔には、ベアリングがそれぞれ取り付けられている。
【００２１】
また、本発明において、上記弾性部材は、ゴムひも若しくはバネからなる。
【００２２】
また、本発明において、上記ベンチには、互いに脱着可能に結合される雌・雄バックルの備わった脚固定バンドが設けられている。
【発明の効果】
【００２３】
本発明の運動器具は、トレーニングの加減に応じて、従来とは異なり重りを替えずに、負荷調整バンドを通じた油圧シリンダーでのてこの原理を利用して重量負荷を容易に、かつ、幅広く調整することが可能であるという効果を有する。
【００２４】
また、本発明の運動器具は、重りを使用しないため、重りによる事故の危険を完全に除去することが可能であり、かつ、全体的にボリュームや重量を減少させることにより、容易に移動や運搬をすることが可能であるという効果を有する。
【００２５】
また、本発明の運動器具は、負荷調整バンドを移動しつつ利用者の好む重量に容易に調整したうえで、トレーニングすることが可能であり、これにより、使用時の利便性やトレーニングの効率性を高めるという効果を有する。
【図面の簡単な説明】
【００２６】
【図１】本発明の運動器具を示す斜視図である。
【図２】本発明の運動器具を示す側面図である。
【図３】本発明の要部を示す斜視図である。
【図４】図3の分解斜視図である。
【図５】本発明の他の要部を示す斜視図である。
【図６】図5の分解斜視図である。
【図７ａ】本発明の動作状態図である。
【図７ｂ】本発明の動作状態図である。
【図８】本発明に係る負荷調整棒及び負荷調整バンドに関する他の実施例を示す斜視図である。
【図９】本発明の他の実施例を示す斜視図である。
【発明を実施するための形態】
【００２７】
以下、添付の図面に基づき、本発明の技術的構成を詳細に説明する。
【００２８】
本発明の運動器具は、図1〜図9に示されるように、ベンチフレーム11、レッグフレーム12、及びハンマーフレーム13からなる本体10と、ベンチフレーム11に設けられるベンチ20と、レッグフレーム12に設けられるレッグエキステンションウェイトトレーニング部30及びアームカールウェイトトレーニング部40と、ハンマーフレーム13に設けられるハンマーベンチウェイトトレーニング部50と、を含み、ベンチフレーム11の下部のうち長手方向の前方部に、負荷調整棒100の一端が軸ピンP1にて回動可能に接続され、上記負荷調整棒100には負荷調整バンド200が移動可能に接続される。本発明の運動器具における油圧シリンダー300は、一端が上記負荷調整バンド200に軸ピンP2にて回動可能に、他端がベンチフレーム11の下部のうち長手方向の後方部に軸ピンP3にて回動可能に、それぞれ接続される。本発明の運動器具におけるレッグバー400は、一端が上記レッグエキステンションウェイトトレーニング部30に軸ピンP5にて回動可能に、他端が上記負荷調整棒100の他端に軸ピンP4にて回動可能に、それぞれ接続され、上記レッグエキステンションウェイトトレーニング部30を利用したウェイトトレーニング時に上記長手方向の前方へ引っ張られる。また、本発明の運動器具における弾性部材500は、一端が上記ベンチフレーム11に、他端が上記レッグエキステンションウェイトトレーニング部30の下部に、それぞれ固定される。本発明の運動器具における負荷調整棒51は、上記ハンマーベンチウェイトトレーニング部50の一構成要素であって、一端が上記ハンマーフレーム13の上記長手方向の前面の上部に軸ピンP8にて回動可能に接続され、負荷調整バンド600は上記負荷調整棒51に移動可能に接続される。本発明の運動器具における油圧シリンダー700は、一端が上記ハンマーフレーム13の上記長手方向の前面の中央部に軸ピンP6にて回動可能に、他端が上記負荷調整バンド600に軸ピンP7にて回動可能に、それぞれ接続されていることを、その基本的な特徴とする。
【００２９】
ここで、上記本体10は、本発明に係る運動器具の台枠を構成するものであって、該本体10は、ベンチフレーム11、レッグフレーム12、及びハンマーフレーム13からなる。この際に、上記本体10のベンチフレーム11には、ベンチ20が設けられる。
【００３０】
上記ベンチ20は、ベンチフレーム11の上部に設けられるものであって、該ベンチ20は、利用者が横になったり座ったり乗ったりしてウェイトトレーニングを行うことができるように、長方形となっている。
【００３１】
本発明によると、図1に示されるように、上記ベンチ20には、互いに脱着可能に結合される雌・雄バックル21a,21bの備わった脚固定バンド21が設けられることを特徴とする。上記脚固定バンド21は、ラットプルダウンのトレーニングをする際に、脚を固定することができるように構成される。
【００３２】
上記レッグエキステンションウェイトトレーニング部30は、レッグフレーム12に設けられるものであって、該レッグエキステンションウェイトトレーニング部30は、脚など下半身の筋肉を鍛錬させることができるように構成される。上記レッグエキステンションウェイトトレーニング部30は、ベンチ20に座ってレッグエキステンションのトレーニングをしても良く、うつ伏せになってレッグカールのトレーニングをしても良い。
【００３３】
上記アームカールウェイトトレーニング部40は、レッグフレーム12に上下に移動可能に設けられるものであって、該アームカールウェイトトレーニング部40は、腕の筋肉等を鍛錬させることができるように構成される。上記アームカールウェイトトレーニング部40は、腕支持台を上げたうえで、アームカールのトレーニングをすることができるように構成される。
【００３４】
上記ハンマーベンチウェイトトレーニング部50は、両側のハンマーフレーム13に上下に移動可能に設けられるものであって、該ハンマーベンチウェイトトレーニング部50は、三頭筋や胸筋など上半身の筋肉を鍛錬させることができるように構成される。上記ハンマーベンチウェイトトレーニング部50は、ベンチ20に座ったり横になったりしたうえで、ハンドルを上下に動かすことにより180°回転することを利用して、アームカールや、ショルダー、チェストプレス、ハンマーベンチのトレーニングをすることができるように構成される。なお、上記ハンマーベンチウェイトトレーニング部50には、負荷調整棒51が設けられ、該負荷調整棒51の後端は、ハンマーフレーム13の前面上部に軸ピンP8にて回動可能に接続され、該負荷調整棒51の後端には、接続部51aが形成される。
【００３５】
上記負荷調整棒100は、ベンチフレーム11の下部のうち長手方向の前方部に、一端が軸ピンP1にて回動可能に接続されるものであって、該負荷調整棒100の他端は、レッグバー400の後端に軸ピンP4にて回動可能に接続される。上記負荷調整棒100の両端には、接続部110,120がそれぞれ形成される。
【００３６】
上記負荷調整バンド200は、負荷調整棒100に移動可能に固定されるものであって、該負荷調整バンド200は、油圧シリンダー300に、てこの作用を与えることにより、重量負荷を調整する役割をする。この際、該負荷調整バンド200を負荷調整棒200の一端の軸ピンP1側へ移動させるほど、油圧シリンダー300の重量負荷はてこの原理により弱まる一方、該負荷調整バンド200を負荷調整棒200の他端の軸ピンP4側へ移動させるほど、油圧シリンダー300の重量負荷はてこの原理により強まる。
【００３７】
上記油圧シリンダー300の両端は、ベンチフレーム11の下部後ろ側と負荷調整バンド200とに、それぞれ軸ピンP2,P3にて回動可能に接続され、該油圧シリンダー300は、レッグエキステンションウェイトトレーニング部30を利用したウェイトトレーニングの際に、従来における重りに相当する重量負荷を与える役割をする。この際、該油圧シリンダー300は、250kg運動器具に適するように油圧油の粘度を最適に調整することにより、利用者の好む重量として最大250kgまでウェイトトレーニングをすることができる。
【００３８】
本発明によると、上記ベンチフレーム11には、それぞれ、負荷調整棒100と油圧シリンダー300への接続部110,310を軸ピンP1,P2にて回転可能に支持する一対のブラケット11a,11bが形成され、上記接続部110,310のピン孔には、ベアリングBがそれぞれ取り付けられる。
【００３９】
本発明の一実施例によると、図3及び図4に示されるように、上記負荷調整バンド200の一方側には、油圧シリンダー300の接続部320を軸ピンP3にて回動可能に支持する一対の接続片210が形成され、上記負荷調整バンド200の中央部には、負荷調整棒100に移動可能に嵌まる挿入孔220が形成され、上記負荷調整バンド200の他方側には、該挿入孔220に続く切り込み部231が設けられた一対の固定片230が形成され、該固定片230には、固定ノブ240がネジ結合され、上記負荷調整棒100の外面は、摩擦力を増大させるため、ナーリングにて加工され、上記接続部320のピン孔には、ベアリングBが取り付けられていることをその特徴とする。この際に、上記固定ノブ240を緩めると、負荷調整バンド200を移動させながら1mm単位にて利用者の好む重量へ容易に調整することができ、調整後、固定ノブ240を締めると、負荷調整バンド200は負荷調整棒100にしっかり固定される。
【００４０】
本発明の他の実施例によると、図8に示されるように、上記負荷調整バンド200の一方側には、油圧シリンダー300の接続部320を軸ピンP3にて回動可能に支持する一対の接続片210が形成され、上記負荷調整バンド200の中央部には、負荷調整棒100に移動可能に嵌まる挿入孔220が形成され、上記負荷調整棒100には、適宜に間隔を置いて複数のピン孔101が形成され、上記負荷調整バンド200には、該ピン孔101に嵌まる固定ピン250が設けられ、上記接続部320のピン孔には、ベアリングBが取り付けられていることをその特徴とする。この際に、上記固定ピン250を抜いて、負荷調整バンド200を移動させながら、20mmの間隔にて形成された複数のピン孔101のうち利用者の好む重量へ容易に調整することができ、調整後、固定ピン250を嵌めると、負荷調整バンド200は負荷調整棒100にしっかり固定される。
【００４１】
上記レッグバー400は、負荷調整棒100の他端とレッグエキステンションウェイトトレーニング部30とに、両端がそれぞれ軸P4,P5にて接続されるものであって、該レッグバー400にレッグエキステンションウェイトトレーニング部30が接続されるため、レッグエキステンションウェイトトレーニング部30を利用したウェイトトレーニング時に、レッグバー400が前方へ引っ張られると、図7bに示されるように、負荷調整棒100の他端軸P4の方が前方に向けて回動し、これにより、油圧シリンダー300と弾性部材500には、従来における重りに相当する重量負荷が働くことになる。
【００４２】
本発明によると、上記レッグバー400の後端には、負荷調整棒100の他端の接続部120を軸ピンP4にて回動可能に支持する一対の支持片410が形成され、上記レッグエキステンションウェイトトレーニング部30には、レッグバー400の先端の接続部420を軸P5にて回動可能に支持する一対のブラケット31が形成され、上記接続部120,420のピン孔には、ベアリングBがそれぞれ取り付けられる。
【００４３】
上記弾性部材500の両端は、ベンチフレーム11の下部及びレッグエキステンションウェイトトレーニング部30の下部とに、それぞれ固定され、該弾性部材500は、レッグエキステンションウェイトトレーニング部30を利用したウェイトトレーニング時に、レッグエキステンションウェイトトレーニング部30に重量（引張力）を与える役割をする。この際、上記弾性部材500は、ウェイトトレーニング時において往復運動をする。
【００４４】
本発明によると、上記弾性部材500はゴムひも若しくはバネからなることを特徴とする。この際、上記ゴムひもは、複数本の細めのゴムひもが、編まれた糸で包まれる構造となっており、上記バネは引張バネからなる。
【００４５】
上記負荷調整バンド600は、ハンマーベンチウェイトトレーニング部50の後ろ側に備わった負荷調整棒51に、移動可能に固定されるものであって、該負荷調整バンド600は、油圧シリンダー700に、てこの作用を与えることにより、重量負荷を調整する役割をする。この際、該負荷調整バンド600を負荷調整棒51の後端の軸ピンP8側へ移動させるほど、油圧シリンダー300の重量負荷はてこの原理により弱まる一方、該負荷調整バンド600を負荷調整棒51の前方へ移動させるほど、油圧シリンダー700の重量負荷はてこの原理により強まる。
【００４６】
上記油圧シリンダー700の両端は、ハンマーフレーム13の前面中央部と負荷調整バンド600とに、それぞれ軸ピンP6,P7にて回動可能に接続され、該油圧シリンダー700は、ハンマーベンチウェイトトレーニング部50を利用したウェイトトレーニングの際に、従来における重りに相当する重量負荷を与える役割をする。この際、該油圧シリンダー700は、250kg運動器具に適するように油圧油の粘度を最適に調整することにより、利用者の好む重量として最大250kgまでウェイトトレーニングをすることができる。
【００４７】
本発明によると、上記ハンマーフレーム13には、それぞれ、負荷調整棒51と油圧シリンダー700への接続部51a,710を軸ピンP8,P6にて回転可能に支持する一対のブラケット13a,13bが形成され、上記接続部51a,710のピン孔には、ベアリングBがそれぞれ取り付けられる。
【００４８】
本発明の一実施例によると、図5及び図6に示されるように、上記負荷調整バンド600の一方側には、油圧シリンダー700の接続部720を軸ピンP7にて回動可能に支持する一対の接続片610が形成され、上記負荷調整バンド600の中央部には、負荷調整棒51に移動可能に嵌まる挿入孔620が形成され、上記負荷調整バンド600の他方側には、該挿入孔620に続く切り込み部631が設けられた一対の固定片630が形成され、該固定片630には、固定ノブ640がネジ結合され、上記負荷調整棒51の外面は、摩擦力を増大させるため、ナーリングにて加工され、上記接続部720のピン孔には、ベアリングBが取り付けられていることをその特徴とする。この際に、上記固定ノブ640を緩めると、負荷調整バンド600を移動させながら1mm単位にて利用者の好む重量へ容易に調整することができ、調整後、固定ノブ640を締めると、負荷調整バンド600は負荷調整棒51にしっかり固定される。
【００４９】
本発明の他の実施例によると、図8に示されるように、上記負荷調整バンド600の一方側には、油圧シリンダー700の接続部720を軸ピンP7にて回動可能に支持する一対の接続片610が形成され、上記負荷調整バンド600の中央部には、負荷調整棒51に移動可能に嵌まる挿入孔620が形成され、上記負荷調整棒51には、適宜に間隔を置いて複数のピン孔51bが形成され、上記負荷調整バンド600には、該ピン孔51bに嵌まる固定ピン650が設けられ、上記接続部720のピン孔には、ベアリングBが取り付けられていることをその特徴とする。この際に、上記固定ピン650を抜いて、負荷調整バンド600を移動させながら、20mmの間隔にて形成された複数のピン孔51bのうち利用者の好む重量へ容易に調整することができ、調整後、固定ピン650を嵌めると、負荷調整バンド600は負荷調整棒51にしっかり固定される。
【００５０】
また、本発明の他の実施例によると、図9に示されるように、上記ハンマーフレーム13には、それぞれ回転リングR1,R2を軸ピンP9,P10にて回転可能に支持するブラケット13c,13dが形成され、上記回転リングR1,R2には、それぞれ、負荷調整棒51または油圧シリンダー700への接続部51a,710を軸ピンP8,P6にて回転可能に支持する回転ブラケットK1,K2が接続されることをその特徴とする。この際、上記回転リングR1,R2と回転ブラケットK1,K2は、ハンマーベンチウェイトトレーニング部50を上下左右で360°回転可能に支持する。
【００５１】
このように構成された本発明は、重りを用いることなく、油圧シリンダー300,700を用いることにより、3kgから250kgまで利用者が好む重量でトレーニングすることができると共に、サイズがコンパクトであって、また、重量を簡単に調整できることに加え、ベンチ20で横になったり座ったりするか、若しくは、ベンチ20に乗ったりして、ハンマーベンチや、ラットプルダウン、ロングプル、レッグエキステンション、レッグカール、アームカール、ショルダープレス、チェストプレスのトレーニングを全て行うことができる。
【００５２】
即ち、本発明は、負荷の調整を可能にするために、負荷調整棒100,51、負荷調整バンド200,600、及び油圧シリンダー300,700を設けることにより、ベンチ20と一体となって上半身のトレーニングを行い、また、ベンチ20と一体となって下半身のトレーニングを行うように構成されたものであって、ベンチ20で横になってハンマーベンチや、油圧シリンダー700での圧力を反対方向に切り替えたうえでベンチ20に座ってラットプルダウン、ベンチ20に上がってロングプル、ベンチ20に座ってレッグエキステンション、うつ伏せになってレッグカール、アームカールウェイトトレーニング部40を上げてアームカール、ベンチ20に座ってショルダープレス、ベンチ20で横になってチェストプレスのトレーニングを全て行うことができる。
【００５３】
従って、本発明は、トレーニングの加減に応じて、従来とは異なり重りを替えずに、負荷調整バンド200,600による油圧シリンダー300,700でのてこの原理と、弾性部材500の往復運動を利用して、重量負荷を容易にかつ幅広く調整することが可能であるというメリットを有する。
【００５４】
また、本発明は、重りを用いないため、重りによる事故の危険を完全に除去することが可能であり、全体的にボリュームや重量が減ることにより、容易に移動や運搬をすることが可能であるというメリットを有する。
【００５５】
また、本発明は、負荷調整バンド200,600を移動させながら、利用者の好む重量へ容易に調整したうえでトレーニングすることができるため、使用時の利便性やトレーニングの効率性を高めることが可能であるというメリットを有する。
【産業上の利用可能性】
【００５６】
現代人は、運動不足で種々の成人病に罹る恐れに晒されているが、本発明によると、重りを用いず、10kgから200kgまでウェイトを挙げるトレーニングをすることができ、また、サイズが小さいため、家庭で使用することができる一方、価格においても、通常のジムと比べて凡そ1/10しか掛からない。
【符号の説明】
【００５７】
10：本体
11：ベンチフレーム
11a,11b：ブラケット
12：レッグフレーム
13：ハンマーフレーム
13a,13b：ブラケット
20：ベンチ
21：脚固定バンド
21a：雌バックル
21b：雄バックル
30：レッグエキステンションウェイトトレーニング部
31：ブラケット
40：アームカールウェイトトレーニング部
50：ハンマーベンチウェイトトレーニング部
51：負荷調整棒
51a：接続部
51b：ピン孔
100：負荷調整棒
101：ピン孔
110,120：接続部
200：負荷調整バンド
210：接続片
220：挿入孔
230：固定片
231：切り込み部
240：固定ノブ
250：固定ピン
300：油圧シリンダー
310,320：接続部
400：レッグバー
410：支持片
420：接続部
500：弾性部材
600：負荷調整バンド
610：接続片
620：挿入孔
630：固定片
631：切り込み部
640：固定ノブ
650：固定ピン
700：油圧シリンダー
710,720：接続部
【図１】
0006442052.tif 000002
【図２】
0006442052.tif 000003
【図３】
0006442052.tif 000004
【図４】
0006442052.tif 000005
【図５】
0006442052.tif 000006
【図６】
0006442052.tif 000007
【図７ａ】
0006442052.tif 000008
【図７ｂ】
0006442052.tif 000009
【図８】
0006442052.tif 000010
【図９】
0006442052.tif 000011